(57)【要約】【課題】  暗所であっても視認が容易な電池用ラベルとその製造方法の提供。【解決手段】  電池５０に関する情報を表示すべく設けられる電池５０用のラベルであって、蓄光材が前記ラベルの表面に配されていることを特徴とする。そして、前記蓄光材が、前記ラベルの表面のうち前記電池５０を識別する情報が表示されている領域に配されている。例えば、前記電池５０を識別する情報は、前記電池５０の規格を示す情報である。また、前記電池５０を識別する情報は、前記電池の極性を示す情報である。【選択図】図４
2019117728.tif 000002
【特許請求の範囲】
【請求項１】
電池に関する情報を表示すべく設けられる電池用のラベルであって、蓄光材が前記ラベルの表面に配されていることを特徴とする電池用ラベル。
【請求項２】
前記蓄光材が、前記ラベルの表面のうち前記電池を識別する情報が表示されている領域に配されている、請求項１に記載の電池用ラベル。
【請求項３】
前記電池を識別する情報は、前記電池の規格を示す情報である、請求項２に記載の電池用ラベル。
【請求項４】
前記電池を識別する情報は、前記電池の極性を示す情報である、請求項２に記載の電池用ラベル。
【請求項５】
前記ラベルは、前記電池の表面に巻着されるシート部材であることを特徴とする、請求項１ないし４のいずれか一項に記載の電池用ラベル。
【請求項６】
前記ラベルは、少なくとも１つ以上の前記電池を収容する収容体に設けられるラベルであることを特徴とする、請求項１ないし４のいずれか一項に記載の電池用ラベル。
【請求項７】
前記ラベルは、少なくとも１つ以上の前記電池を収容する収容体に前記電池と共に封入されるラベルであることを特徴とする、請求項１ないし４のいずれか一項に記載の電池用ラベル。
【請求項８】
前記ラベルは、少なくとも１つ以上の前記電池を収容する収容体として構成されていることを特徴とする、請求項１ないし４のいずれか一項に記載の電池用ラベル。
【請求項９】
電池に関する情報を表示すべく設けられる電池用のラベルの製造方法であって、蓄光材を前記ラベルの表面に配することを特徴とする電池用ラベルの製造方法。
【発明の詳細な説明】
【技術分野】
【０００１】
この発明は、電池用ラベル、及び電池用ラベルの製造方法に関する。
【背景技術】
【０００２】
電池の外装ラベル、電池用の包装体、及びその包装体に付するラベル等には、その用途に応じて様々な素材・物質を導入することができる。例えば特許文献１には、外装ラベルを具備した電池の製造方法であって、外装ラベルの一部に蛍光剤を塗布して蛍光部を設け、蛍光部を検知することにより外装ラベルが電池の所望の位置に配されているか否かを検査することが記載されている。また、特許文献２には、電池パック及び電池の偽造を防止するべく、電池の外装材の外面、及び電池パックの電池ケースの外面に、不可視光が照射されると可視光を発光する発光材を含有している電池用識別体について記載されている。
【先行技術文献】
【特許文献】
【０００３】
【特許文献１】特開２００４−２４７１４１号公報
【特許文献２】特開２００４−３３５２２９号公報
【発明の概要】
【発明が解決しようとする課題】
【０００４】
ところで、電池を購入する等して取得した消費者は、直ちにその電池を使用せず、将来の使用時に備えて保管しておくことが多い。しかし、この使用時は、例えば、夜間や災害時（停電等）等、空間の照度が充分でない状況下である場合が多く、そのような場合には、電池の保管場所の発見、又は保管場所からの取り出しに時間がかかる。そして、電池を取り出したとしても、暗所のため電池の極性の方向が視認できず、対象機器への迅速な装着が困難となることもある。対象機器に電池を誤装填した場合には、その機器の故障を招くおそれもある。
【０００５】
このように、暗所等の視認が難しい状況下においては、使用したい電池を素早く発見しこれを正しく使用することが難しいことが多い。
【０００６】
本発明はこのような背景に鑑みてなされたものであり、暗所であっても視認が容易な電池用ラベル、及び電池用ラベルの製造方法を提供することを目的としている。
【課題を解決するための手段】
【０００７】
上記目的を達成するための本発明の一態様は、電池に関する情報を表示すべく設けられる電池用のラベルであって、蓄光材が前記ラベルの表面に配されていることを特徴とする。
【０００８】
本発明によれば、蓄光材が電池のラベルの表面に配されているので、夜間や停電時等、暗所である電池の使用状況下において、この蓄光材が蓄積されているエネルギーに基づき自律発光する。これにより、電池の使用者は所望の電池を素早く発見し、使用することができる。
【０００９】
また、本発明の他の一態様では、前記蓄光材が、前記ラベルの表面のうち前記電池を識別する情報が表示されている領域に配されているので、電池の使用者は、使用する電池を当該使用状況下において確実に識別し、視認することができる。
【００１０】
また、本発明の他の一態様では、前記電池を識別する情報は、前記電池の規格を示す情報であるので、使用者は、使用機器に対応する適切な規格の電池を素早く発見することができる。
【００１１】
また、本発明の他の一態様では、前記電池を識別する情報は、前記電池の極性を示す情報であるので、使用者は、電池の極性（正極、負極）のそれぞれの位置を正しく認識し、この電池を使用する機器に正しく安全に装着することができる。
【００１２】
また、本発明の他の一態様では、前記ラベルは、前記電池の表面に巻着されるシート部材であるので、使用したい個々の電池を容易に発見することができる。
【００１３】
また、本発明の他の一態様では、前記ラベルは、少なくとも１つ以上の前記電池を収容する収容体に設けられるラベルであるので、使用者は、所望の電池が収容されている収容体を素早く発見し、当該収容体中の電池を使用することができる。
【００１４】
また、本発明の他の一態様では、前記ラベルは、少なくとも１つ以上の前記電池を収容する収容体に前記電池と共に封入されるラベルであるので、使用者は、このラベルが封入された収容体を素早く発見し、当該収容体中の電池を使用することができる。
【００１５】
また、本発明の他の一態様では、前記ラベルは、少なくとも１つ以上の前記電池を収容する収容体として構成されているので、使用者は、所望の電池を収容する収容体を素早く発見し、当該収容体中の電池を使用することができる。
【００１６】
また、本発明の他の一態様は、電池用のラベルの製造方法であって、蓄光材を前記ラベルの表面に配することを特徴とする。
【発明の効果】
【００１７】
本発明によれば、暗所であっても視認が容易な電池用ラベル、及び電池用ラベルの製造方法を提供することができる。なお、その他の効果については以下の記載で明らかにする。
【図面の簡単な説明】
【００１８】
【図１】図１は、本実施形態に係る電池用のラベルの一例として説明する、電池用の外装ラベル１００を示す展開図である。
【図２】図２は、外装ラベル１００の断面構造図である。
【図３】図３は、外装ラベル１００の製造工程及び電池５０への装着工程を説明するフローチャートである。
【図４】図４は、外装ラベル１００を巻着させた電池５０の正面図である。
【図５】図５は、本実施形態に係る電池用のラベルの一例として説明する、電池用の収容体用のラベル２００の一例である。
【図６】図６は、本発明の一実施形態に係る電池用のラベルとして説明する、電池５０の収容体用の封入ラベル３００の一例である。
【図７】図７は、本発明の一実施形態に係る電池用のラベルとして説明する、電池５０の収容体４００の斜視図及び収容体４００の展開図の一例である。
【発明を実施するための形態】
【００１９】
以下、本発明の実施の形態について、図面を参照しつつ説明する。
【００２０】
＜外装ラベル＞
（全体構成）
図１は、本実施形態に係る電池用のラベルの一例として説明する、電池５０用の外装ラベル１００を示す展開図である。この外装ラベル１００は、円筒形の電池５０（図１では、単１形のアルカリ乾電池）の胴部の側面５１に巻着し固定される、略長方形のシート状のラベルである。外装ラベル１００の長手方向の一方の辺１０２は、電池５０の正極５２側の端面の外周５３に対応し、長手方向の他方の辺１０４は、電池５０の負極５４側の端面の外周５６に対応する。
【００２１】
外装ラベル１００の表面には、電池５０を識別するための文字や図形等が所定の蓄光材を含む顔料により蓄光印刷されている領域（以下、蓄光印刷領域という）が設けられている。すなわち、外装ラベル１００の中央部には、電池５０を識別するための文字ないし図形１２４（例えば、商標や製造元を表す文字ないし図形）、電池５０の種類を示す文字１２６（本図では「アルカリ電池」）、及び電池５０の規格を示す文字１２７（本図では、電池５０のサイズに関する規格である「単１形」）が蓄光印刷されている。
【００２２】
また、外装ラベル１００の長手方向の一方の辺１０２の側には、正極を示す図形１２０が蓄光印刷されている。同様に、長手方向の他方の辺１０４の側には、負極を示す図形１２２が蓄光印刷されている。
【００２３】
（断面構造）
次に、外装ラベル１００の構造について説明する。図２は、外装ラベル１００の断面構造図である。外装ラベル１００は、その裏面から表面に向かって順に、接着層１０、基層１２、及び蓄光印刷層１４を有する。このうち基層１２は、外装ラベル１００の基材である熱収縮性フィルムを有し、例えば、ポリエステル系樹脂、オレフィン系樹脂、スチレン系樹脂、塩化ビニル系樹脂などの熱収縮性を有するフィルムである。また、接着層１０は、電池５０の側面５１と接着させるための感熱接着剤を含む。
【００２４】
蓄光印刷層１４は、蓄光塗料を有する層である。この蓄光塗料は、蓄光材及び有機溶剤等の溶剤を含む塗料である。このうち蓄光材は、例えば可視光（又は紫外光）をエネルギーとして吸収して蓄積し、これを可視光として自律発光することのできる物質であれば、特に限定されない。このような蓄光材としては、例えば、ストロンチウムとアルミニウムとを主成分とするアルミン酸ストロンチウム系蓄光顔料、ストロンチウムとマグネシウムとケイ素とを主成分とする蓄光顔料、又は硫化系蓄光顔料等が挙げられる。アルミン酸ストロンチウム系蓄光顔料としては、例えば、Ｓｒ４Ａｌ１４Ｏ２５、ＳｒＡｌ２Ｏ４等が挙げられ、ストロンチウムとマグネシウムとケイ素とを主成分とする顔料としては、例えば、Ｓｒ２ＭｇＳｉ２Ｏ７等が挙げられる。
【００２５】
（外装ラベル１００の製造及び電池５０への装着）
次に、外装ラベル１００の製造工程及び外装ラベル１００の電池５０への装着工程について説明する。図３は、外装ラベル１００の製造工程及び電池５０への装着工程を説明するフローチャートである。まず、基層１２の表面の所定領域（すなわち、蓄光印刷領域）に蓄光塗料を印刷又は塗布することにより、蓄光印刷層１４を形成する（ｓ１）。また、基層１２の裏面全体には感熱接着剤を塗布することにより、接着層１０を形成する（ｓ３）。以上により、外装ラベル１００が作成される。
【００２６】
なお、ｓ１における蓄光塗料（蓄光材）の素材の種類、量、厚み等は、例えば、電池５０の使用者が暗所（夜間や停電時等）において電池５０の保管場所を発見しこれを取り出すために必要な時間（例えば、数分間）、自律発光を継続できるように調整することができる。また、ｓ１における蓄光印刷の手法としては、凸版印刷、凹版印刷、平版印刷、孔版印刷等、周知の印刷方法を使用することができる。
【００２７】
次に、作成した外装ラベル１００を、電池５０の胴部の側面５１に巻き付け、加熱することで、電池５０に装着する（ｓ５）。具体的には、外装ラベル１００の長手方向の一方の辺１０２を電池５０の正極５２側の端面の外周５３に対応させ、外装ラベル１００の長手方向の他方の辺１０４を電池５０の負極５４側の端面の外周５６に対応させた状態で、外装ラベル１００の短手方向の一方の辺１０６を電池５０の軸方向と略平行にし、電池５０の側面５１に付着させる。そして、外装ラベル１００を側面５１に巻き付け、外装ラベル１００の短手方向の他方の辺１０８における接着層１０を短手方向の一方の辺１０６の表面に接着する。この状態で外装ラベル１００を加熱収縮させることにより、外装ラベル１００を電池５０の側面５１に巻着させることができる。
【００２８】
ここで、図４は、外装ラベル１００を巻着させた電池５０の正面図である。同図に示すように、電池５０の正極５２の近傍に正極を示す図形１２０が表示され、電池５０の負極５４の近傍に負極を示す図形１２２が表示される。また、電池５０の側面５１の中央部には、電池５０を識別するための文字ないし図形１２４（電池５０の名称、製造元名称等）、電池５０の種類を示す文字１２６、及び電池５０の規格を示す文字１２７が表示される。
【００２９】
以上のように、本実施形態の電池用のラベル（外装ラベル１００）には蓄光印刷がなされることにより蓄光材が表面に配されているので、夜間や停電時等、暗所である電池５０の使用状況下において、この蓄光材が蓄積されているエネルギーに基づき発光する。そして、この蓄光材は、ラベルの表面のうち電池５０を識別する情報が表示されている領域（蓄光印刷領域）に配されているので、電池５０の使用者は、暗所である使用状況下においても使用する電池５０を確実に識別し、視認することができる。これにより、使用者は所望の電池５０を素早く発見し、使用することができる。
【００３０】
例えば、前記電池５０を識別する情報は、電池５０の規格を示す情報（電池５０の規格を示す文字１２７）であるので、使用者は、使用機器に対応する適切な規格の電池５０を素早く発見することができる。また、前記電池５０を識別する情報は、電池５０の極性（正極５２、負極５４）を示す情報（正極を示す図形１２０、負極を示す図形１２２）であるので、使用者は、電池５０の極性（正極５２、負極５４）のそれぞれの位置を正しく認識し、電池５０を使用する機器に正しく安全に装着することができる。そして、ラベル（外装ラベル１００）は、電池５０の表面に巻着されるシート部材であるので、使用したい個々の電池５０を容易に発見することができる。
【００３１】
＜収容体用のラベル＞
図５は、本実施形態に係る電池用のラベルの一例として説明する、電池用の収容体用のラベル２００の一例である。同図に示すように、この収容体用のラベル２００は、少なくとも１個以上の電池５０を収容することが可能な電池の収容体６０（例えば、樹脂製のシート）の側面に貼り付けられる、例えば紙製のラベルである。この収容体用のラベル２００は、例えば、図５に示すように、電池５０を識別するためのラベル２００（１）、電池５０に対応するバーコードが付されたラベル２００（２）等である。
【００３２】
まず、ラベル２００（１）の表面には、外装ラベル１００と同様、所定の蓄光材を含むインク（蓄光インク）によって、文字又は図形等が蓄光印刷された蓄光印刷領域が設けられている。具体的には、ラベル２００（１）の中央部には、収容体６０に収容されている電池５０を識別するための文字ないし図形２２２（例えば、商標や製造元を表す文字ないし図形）が、外装ラベル１００と同様の蓄光材により蓄光印刷されている。
【００３３】
他方、バーコードラベル２００（２）は、収容されている販売用の電池５０に対応するバーコード２２４が表示されているラベルであり、このバーコード２２４の近傍に、当該電池５０を識別するための文字ないし図形２２５（例えば、商標や製造元を表す文字ないし図形）が、外装ラベル１００と同様の蓄光材により蓄光印刷されている。
【００３４】
このように、収容体用のラベル２００においては、蓄光材が、ラベルの表面のうち電池５０を識別する情報が表示されている領域（蓄光印刷領域）に配されているので、電池５０の使用者は、暗所である使用状況下においても使用する電池５０を確実に識別し、視認することができる。そして、収容体用のラベル２００は、少なくとも１つ以上の電池５０を収容する収容体６０に設けられるラベルであるので、使用者は、所望の電池５０が収容されている収容体６０を素早く発見し、当該収容体６０中の電池５０を使用することができる。
【００３５】
なお、この収容体用のラベル２００の製造工程は、図５の例で基層１２が紙材であること、及び、接着層１０が収容体６０の表面との接着が可能な粘着材を含むこと以外は、外装ラベル１００の場合におけるｓ１及びｓ３と同様である。ラベル２００の基層１２は紙材以外の材料で形成してもよい。
【００３６】
＜収容体の封入ラベル＞
図６は、本発明の一実施形態に係る電池用のラベルとして説明する、電池５０の収容体用の封入ラベル３００の一例である。この収容体用の封入ラベル３００は、少なくとも１つ以上の電池５０を収容する収容体７０（例えば、樹脂製の透明の収容体）に電池５０と共に封入される台紙である。
【００３７】
この収容体用の封入ラベル３００は、収容体７０の側面７２の一部を構成する第１面３１０と、収容体７０の底面７４の一部を構成する第２面３２０とを有する。
【００３８】
第１面３１０及び第２面３２０には、蓄光印刷領域が設けられている。まず、第１面３１０には、電池５０を識別するための文字ないし図形３１４（例えば、商標や製造元を表す文字ないし図形）、乾電池５０の外観を模した図３１５、電池５０の規格を示す文字３１６（本図では「単１形」）、及び、電池５０の種類を示す文字３１７（本図では「アルカリ電池」）が、外装ラベル１００と同様の素材の蓄光インクによって蓄光印刷されている。また、第２面３２０には、電池５０の規格を示す文字３２６（本図では「単１形」）、及び電池５０の種類を示す文字３２７（本図では「アルカリ電池」）が蓄光インクによって蓄光印刷されている。
【００３９】
このように、封入ラベル３００においては、蓄光材が、ラベルの表面のうち電池５０を識別する情報が表示されている領域（蓄光印刷領域）に配されているので、電池５０の使用者は、暗所である使用状況下においても使用する電池５０を確実に識別し、視認することができる。そして、封入ラベル３００は、少なくとも１つ以上の電池５０を収容する収容体６０に電池５０と共に封入されるラベルとなっているので、使用者は、このラベルが封入された収容体６０を素早く発見し、当該収容体６０中の電池を使用することができる。
【００４０】
なお、封入ラベル３００の作成方法は、図６の例で基層１２が紙材であること以外は、外装ラベル１００の場合のｓ１と同様である。封入ラベル３００の基層１２は紙材以外の材料で形成してもよい。
【００４１】
＜電池の収容体＞
図７は、本発明の一実施形態に係る電池用のラベルとして説明する、電池５０の収容体４００の斜視図及び収容体４００の展開図の一例である。収容体４００は直方体形状をなす、樹脂又は紙材等を素材とする収容体であり、少なくとも１つ以上の電池５０を収容可能である。
【００４２】
図７に示される収容体４００の展開シート５００は、収容体４００の上面４０２を構成する第１面５０１と、収容体４００の第１の側面４０４を構成し、第１面５０１と山折り線５５９を境界線として接する第２面５０３と、収容体４００の底面４０６を構成し、第１面５０１と山折り線５５１を境界線として接する第３面５０６と、第１の側面４０４に相対する第２の側面４０８を構成し、第３面５０６と山折り線５５３を境界線として接する第４面５０８と、収容体４００の第３の側面４１０を構成し、第３面５０６と山折り線５５５を境界線として接する第４面５１０と、第３の側面４１０に相対する第４の側面４１２を構成し、第３面５０６と山折り線５５７を境界線として接する第５面５１２と、第４面５０８に対応させられ、第１面５０１において山折り線５５９と反対側の山折り線５６１を境界線として接する第７面５２２とを有する。また、第２面５０３の両側端には、山折り線５６３を境界線として接する２つののりしろ面５１４が設けられ、第４面５０８の両端にも山折り線５６５を介して接する２つののりしろ面５１６が設けられている。また、第４面５０８にはスリット５７０が設けられ、他方で第７面５２２には、山折り線５６７を境界線として接する、スリット５７０に差し込まれる舌片５２４が設けられている。
【００４３】
そして、展開シート５００の第１面５０１及び第４面５０８には、蓄光印刷領域が設けられている。すなわち、収容体４００に収容される電池５０を識別するための文字ないし図形５３４（例えば、商標や製造元を表す文字ないし図形）、及び電池５０の種類及び規格を示す文字５３６（本図では「単１形  アルカリ電池」）が、外装ラベル１００と同様の蓄光材により蓄光印刷されている。なお、この展開シート５００における蓄光印刷の方法は、封入ラベル３００と同様である。
【００４４】
ここで、展開シート５００に基づく収容体４００の作成方法は、まず展開シート５００において山折り線５５１、山折り線５５３、山折り線５５５、山折り線５５７、山折り線５５９、山折り線５６１、山折り線５６３、及び山折り線５６５を各々山折りしつつ、のりしろ面５１４及びのりしろ面５１６のそれぞれと第４面５１０の裏面とを接着し、さらに、第７面５２２に設けられた舌片５２４を第４面５０８のスリット５７０に差し込む。これにより、直方体状の収容体４００が作成される。
【００４５】
このようにして作成された収容体４００において、その上面４０２及び第２の側面４０８には、蓄光印刷された、電池５０を識別するための文字ないし図形５３４及び電池５０の種類及び規格を示す文字５３６が表示される状態となる。
【００４６】
このように、収容体４００においては、蓄光材が、収容体４００の表面のうち電池５０を識別する情報が表示されている領域（蓄光印刷領域）に配されているので、電池５０の使用者は、暗所である使用状況下においても収容体４００における電池５０を確実に識別し、視認することができる。そして、収容体４００は、少なくとも１つ以上の電池５０を収容する収容体４００として構成されているので、使用者は、所望の電池５０を収容する収容体４００を素早く発見し、当該収容体４００中の電池５０を使用することができる。
【００４７】
以上に説明したように、本実施形態の電池用のラベル（外装ラベル１００、収容体用のラベル２００、封入ラベル３００、収容体４００、展開シート５００）によれば、蓄光印刷がなされることにより蓄光材が表面に配されているので、夜間や停電時等、暗所である電池５０の使用状況下においてこの蓄光材が、蓄積されているエネルギーに基づき自律発光する。そして、この蓄光材は、ラベルの表面のうち電池５０を識別する情報が表示されている領域（蓄光印刷領域）に配されているので、電池５０の使用者は、暗所である使用状況下においても電池５０を確実に識別し、視認することができる。これにより、使用者は所望の電池５０を素早く発見し、使用することができる。
【００４８】
以上の実施形態の説明は、本発明の理解を容易にするためのものであり、本発明を限定するものではない。本発明はその趣旨を逸脱することなく、変更、改良され得ると共に本発明にはその等価物が含まれる。
【００４９】
例えば、外装ラベル１００に蓄光印刷される図形や文字の配列、方向、位置、規格等は適宜変更可能である。また、本実施形態では、電池５０が円筒形の乾電池であるとしたが、本発明においては電池５０の形状や種類を限定するものではない。例えば、二次電池、ボタン電池等、他の形状や種類の電池でもよい。
【００５０】
なお、本実施形態に係る電池用のラベルを使用する場合、電池５０の使用者は、蓄光印刷領域に蓄光させるべく、一定時間は明るい場所に保管しておくことが好ましい。
【符号の説明】
【００５１】
１００  外装ラベル、１０２  長手方向の一方の辺、１０４  長手方向の他方の辺、１０６  短手方向の一方の辺、１０８  短手方向の他方の辺、１２０  正極を示す図形、１２２  負極を示す図形、１２４  識別するための文字ないし図形、１２６  種類を示す文字、１２７  規格を示す文字、１０  接着層、１２  基層、１４  蓄光印刷層、５０  電池、５１  側面、５２  正極、５３  外周、５４  負極、５６  外周、６０  収容体、７０  収容体、７２  側面、７４  底面、２００  収容体用のラベル、２００（１）  ラベル、２００（２）  ラベル、２２２  識別するための文字ないし図形、２２４  バーコード、２２５  識別するための文字ないし図形、３００  封入ラベル、３１０  第１面、３１４  文字ないし図形、３１５  外観を模した図、３１６  規格を示す文字、３１７  種類を示す文字、３２０  第２面、３２６  規格を示す文字、３２７  種類を示す文字、４００  収容体、４０２  上面、４０４  第１の側面、４０６  底面、４０８  第２の側面、４１０  第３の側面、４１２  第４の側面、５００  展開シート、５５１  山折り線、５０１  第１面、５０３  第２面、５０６  第３面、５０８  第４面、５１０  第４面、５１２  第５面、５１４  のりしろ面、５１６  のりしろ面、５２２  第７面、５２４  舌片、５３４  識別するための文字ないし図形、５３６  種類及び規格を示す文字、５５１  山折り線、５５３  山折り線、５５５  山折り線、５５７  山折り線、５５９  山折り線、５６１  山折り線、５６３  山折り線、５６５  山折り線、５６７  山折り線、５７０  スリット
【図１】
2019117728.tif 000003
【図２】
2019117728.tif 000004
【図３】
2019117728.tif 000005
【図４】
2019117728.tif 000006
【図５】
2019117728.tif 000007
【図６】
2019117728.tif 000008
【図７】
2019117728.tif 000009